(57)【要約】【課題】【解決手段】ＺＩＦ無線装置におけるＤＣオフセットを除去する方法は、信号をデジタルサンプルに変換し、バースト全体と隣接チャネルの一部とを捕捉してＤＣバーストを計算し、デジタル信号からＤＣオフセットを除去し、デジタル信号からの周波数エラーを回転させ、デジタル信号のチャネルフィルタリングを行う。本システムは、アナログ／デジタル変換器１０８と、変換器１０８に接続されたチャネルフィルタ１１０と、チャネルフィルタの入力及び出力に接続された回転装置システム１１４とを含むデジタルＤＣオフセット除去回路を含む。回転装置システム１１４は、チャネルフィルタの入力に接続されたＤＣ推定器１１６と、ＤＣ推定器に接続されたＤＣオフセット除去要素１２０と、ＤＣオフセット除去要素に接続された回転装置１２２とを含む。
2006504368.tif 000002
【特許請求の範囲】
【請求項１】
ゼロ中間周波数ベース無線装置においてＤＣオフセットを補正する方法であって、
デジタル同相信号及び直交位相信号データを受信するステップと、
前記デジタル同相信号及び直交位相信号データからＤＣオフセットを推定するステップと、
前記デジタル同相信号及び直交位相信号データから前記ＤＣオフセットを除去するステップと、
前記デジタル同相信号及び直交位相信号データを回転させるステップとを含む。
【請求項２】
請求項１に記載の方法において、前記デジタル同相信号及び直交位相信号データをチャネルフィルタリングするステップを更に備える。
【請求項３】
請求項１に記載の方法において、前記ＤＣオフセットが推定される前に、前記デジタル同相信号及び直交位相信号データサンプルが記憶手段に格納される。
【請求項４】
請求項２に記載の方法において、前記デジタル同相信号及び直交位相信号データから前記ＤＣオフセットが除去される前に、前記デジタル同相信号及び直交位相信号データサンプルが前記記憶手段から読まれる。
【請求項５】
請求項３に記載の方法において、前記ＤＣオフセットが推定される前に、前記デジタル同相信号及び直交位相信号データサンプルがＲＡＭに格納される。
【請求項６】
請求項４に記載の方法において、前記ＤＣオフセット前記デジタル同相信号及び直交位相信号データから除去される前に、前記デジタル同相信号及び直交位相信号データサンプルがＲＡＭから読まれる。
【請求項７】
ゼロ中間周波数ベース無線装置においてＤＣオフセットを除去する方法であって、
信号の一部をデジタルサンプルに変換するステップと、
バースト全体及び隣接チャネルの一部を捕捉することによってＤＣバースを計算するステップと、
前記信号からＤＣオフセットを除去するステップと、
前記信号からの周波数エラーを回転させるステップと、
前記信号についてのチャネルフィルタリングを実行するステップとを備える。
【請求項８】
請求項７に記載の方法において、回転装置システムによって、前記信号から前記ＤＣオフセットが除去される。
【請求項９】
請求項８に記載の方法において、前記回転装置システムは、ＤＣ推定器、ＤＣオフセット除去要素、及びＣＯＲＤＩＣ回転装置を備える。
【請求項１０】
ゼロ中間周波数無線装置であって、
アナログ／デジタル変換器と、
前記アナログ／デジタル変換器に接続されたチャネルフィルタと、
前記チャネルフィルタに接続された回転装置システムとを備え、
前記回転装置システムは、
前記チャネルフィルタに接続されたＤＣ推定器と、
前記ＤＣ推定器に接続されたＤＣオフセット除去要素と、
前記ＤＣオフセット除去要素に接続されたＣＯＲＤＩＣ回転装置とを備え、前記ＣＯＲＤＩＣ回転装置の出力は、前記チャネルフィルタに接続されている。
【請求項１１】
請求項１０に記載のゼロ中間周波数無線装置において、前記ＤＣオフセット除去要素は、前記ゼロ中間周波数無線装置におけるＤＣオフセットを除去する。
【請求項１２】
請求項１０に記載のゼロ中間周波数無線装置において、前記回転装置システムの前に、粗いＤＣ除去要素を更に備える。
【請求項１３】
請求項１０に記載のゼロ中間周波数無線装置において、前記ゼロ中間周波数ダウンコンバータを更に備える。
【請求項１４】
ゼロ中間周波数ベース無線装置におけるＤＣオフセットを補正するゼロ中間周波数無線装置であって、
デジタル同相信号及び直交位相信号データを受信する手段と、
前記デジタル同相信号及び直交位相信号データからＤＣオフセットを推定する手段と、
前記デジタル同相信号及び直交位相信号データから前記ＤＣオフセットを最小化する手段と、
前記デジタル同相信号及び直交位相信号データを回転させる手段とを備える。
【発明の詳細な説明】
【技術分野】
【０００１】
本開示は、ゼロ中間周波数（ＺＩＦ：zero intermediate frequency）ベースの無線ソリューションに関し、特に、デジタル周波数補正が利用される場合に、ＺＩＦベースの無線におけるＤＣオフセットを除去する方法及び装置に関する。
【背景技術】
【０００２】
ＺＩＦベースの無線受信機は、無線周波数（ＲＦ）信号を受信する。ＲＦ信号は直交ミキサに加えられる。直交ミキサは、ローカル発振器（ＬＯ）によって生成された周波数において信号を掛け合わせる。同相信号すなわち１チャネルと、直交信号すなわちＱチャネルとは、ＬＯによって生成される。ＬＯ入力は、コモンキャリア周波数上で変調されたＲＦ信号をダウンコンバートする。ミキサは、合計周波数成分と、ゼロ周波数の周りの差分周波数成分との両方を含む出力を得る。ＤＣフィルタは、合計周波数成分を除去し、差分周波数成分を受け取る。ゼロ周波数成分は、その後、低レベル周波数増幅ステージにより増幅される。ＺＩＦ受信機は、到来する信号を単一動作のベースバンドに直接的に変換することによって、中間周波数への暫定的な変換を除去する。
【０００３】
しかしながら、ＺＩＦベース無線受信機は、要求された信号よりもはるかに大きくなりうるＤＣオフセットを生成する。低レベル周波数増幅器は、要求された信号が増幅される前に、大きなＤＣオフセットによって飽和されるかもしれない。従って、ＺＩＦ無線を利用する無線通信システムは、ベースバンド信号における大きなＤＣオフセットに打ち勝たねばならない。このＤＣオフセットは、受信されたベースバンド信号の周波数補正が実行される前に除去されるべきである。さもなければ、この信号は、ＤＣオフセットを補正するＡＦＣループを用いた周波数補正における音質になるであろう。ＧＳＭ受信機では、帯域幅が比較的小さいので、最終的なチャネルフィルタリングに先立って重要な周波数オフセットが実行されねばならない。従って、必要とされるものは、ＺＩＦベースの無線受信機においてＤＣオフセットを除去する効率的な方法である。
【発明の概要】
【０００４】
本出願は、２００２年１０月２５日に出願された米国仮出願番号６０／４２１，２２３号の優先権を主張する。
【０００５】
開示された方法及び装置は、ＤＣオフセットなく、あるいは比較的小さなＤＣオフセットで無線受信機から復調された波形を受け取るための柔軟性を与えるデジタルベースバンドソリューションを提供する。ＤＣオフセットの大部分は、デジタル処理によってＤＣオフセットを除去できるデジタルベースバンドによって除去されるので、これは、ＺＩＦ無線受信機のＤＣオフセット除去システムの複雑さを相当低減する。
【０００６】
ここで開示された方法及び装置では、ＧＳＭ無線ネットワーク内のＤＣオフセットが適切な数のバーストのサンプル、又はバースト全体、及びそれに加えて隣接チャネルの比較的重要な部分を捕捉することによって除去される。バーストのサンプル又はバースト全体は、バースト内のＤＣオフセットを計算するために使用され、ＤＣオフセットが除去され、周波数補正がなされ、チャネルフィルタリングが実行される。
【０００７】
ここで開示された方法は、信号をデジタルサンプルに変換し、バーストのサンプル又はバースト全体と、隣接チャネルの一部を捕捉することによってＤＣバーストを計算し、前記デジタル信号からＤＣオフセットを除去し、前記デジタル信号からの周波数エラーを回転させ、デジタル信号のチャネルフィルタリングを実行する各ステップを含む。本開示されたシステムは、デジタルＤＣオフセット除去回路を含む。この回路は、アナログ／デジタル変換器と、この変換器に接続されたチャネルフィルタと、このチャネルフィルタの入力及び出力に接続された回転装置システムとを含む。この回転装置システムは、チャネルフィルタの入力に接続されたＤＣ推定器と、ＤＣ推定器に接続されたＤＣオフセット除去要素と、ＤＣオフセット除去要素に接続された座標回転デジタルコンピュータ（ＣＯＲＤＩＣ）回転装置とを含む。このＣＯＲＤＩＣ回転装置の出力は、チャネルフィルタの入力に接続されている。
【０００８】
本開示は、同一要素が同一参照符号を用いた添付図面に示された実施例を参照してより詳細に記載されるであろう。
【発明を実施するための最良の形態】
【０００９】
開示されたものは、ＺＩＦベースの無線装置におけるＤＣオフセットの補正方法である。ＺＩＦベースの無線装置は、任意の通信システムで利用可能な任意の通信装置でありうる。例えば、一つの実施では、ＺＩＦベースの無線装置は、ＧＳＭ無線受信機でありうる。別の実施では、ＺＩＦベースの無線装置は、ＣＤＭＡ無線受信機でありうる。
【００１０】
ＧＳＭ実施において、ＧＳＭ受信機は、電圧制御温度制御水晶発振器（ＶＣＴＣＸＯ）か、温度補正型水晶発振器（ＴＣＸＯ）かの何れか一方とともに使用される。しかしながら、ＶＣＴＣＸＯを用いない場合には、動作中の周波数ドリフトを補償するために回転装置が必要とされる。本開示によれば、例えばＣＯＲＤＩＣ（COordinate Rotation DIgital Computer：座標回転デジタルコンピュータ）回転装置のような方法で、複合Ｉ／Ｑ（同相／直交）ペア回転装置がローカルエリアと、回転装置の複雑さとを低減するために使用される。
【００１１】
ＧＭＳＫ変調器は、Ｍｏｄｌｔｒ＿ｃｏｎｆｉｇレジスタを通じて、ＧＭＳＫ変調器のＩ／Ｑデータストリームと、回転したストリームとの間を選択する。チャネルフィルタは、回転装置に、ＯＳＲ２で回転する１５ビットＩ／Ｑデータと、有効データを表すデータ有効信号とを提供する。
【００１２】
図１は、チャネルフィルタから、ＤＣオフセット除去、回転を経て、その後チャネルフィルタに戻るデータ経路を示す。典型的な回路は、ミキサ１０２に接続されたＲＦ１００を含む。次に、フィルタ１０４において、非常に粗いＤＣ除去が、信号に対して実行される。次に、１０６において、アンチエイリアスフィルタが、信号のエッジを払い落とし、アナログ／デジタル変換器１０８が、アナログ信号をデジタル信号に変換し、変換した信号をチャネルフィルタ１１０に供給する。チャネルフィルタ１１０は、粗い帯域幅シェーピング要素１１２を含む。チャネルフィルタ１１０には回転装置１１４が接続されている。回転装置１１４は、ＤＣ推定器１１６と、ＲＡＭ及びアービタ１１８とを含んでいる。ＲＡＭ及びアービタ１１８は、ＤＣオフセット除去要素１２０に接続されている。ＤＣオフセット除去要素１２０の出力側は、ＣＯＲＤＩＣ回転装置１２２である。結果として得られるデータ信号は、その後チャネルフィルタ１２４に送られる。チャネルフィルタのステージ２から受信したデータは、回転装置システム内に配置されたローカルＲＡＭ又はその他の記憶手段に、或いはこのシステムのどこかに格納される。回転装置システムは、ＲＡＭ及びアービタ、ＤＣ推定器、ＤＣオフセット除去要素、及びＩ／Ｑペア回転装置を含む。一つの実施例では、データがローカルＲＡＭに格納された後、僅かな数のＩ／ＱペアのデータについてＤＣ推定が実行される。ＤＣ推定が一旦完了すると、データがＲＡＭから読まれ、ＤＣオフセットが除去される。その後、Ｉ／Ｑペアサンプルが突き止められ、チャネルフィルタに戻される。非常に粗いＤＣ除去要素が、極端なＤＣバイアスに対して、アナログ／デジタル変換器への出力を制限する。ＤＣオフセット除去は、無線装置を組み込む較正段階において判定され、動的である必要はなく、簡単なネットワークを利用して実施することができる。
【００１３】
Ｉ／Ｑペア回転装置は、シフトのみ用いベクトル回転を生成するために加算する繰り返しアルゴリズム内で動作する。反時計回りのベクトル回転は、  
【数１】
2006504368.tif 000003
【００１４】
の通り表される。  
更に項を再配置して、以下を得る。
【数２】
2006504368.tif 000004
【００１５】
δ（ｉ）＝ａｒｃｔａｎ（１／２Ｉ）、ｄｉ＝＋１又は−１のとき、Δ＝Σｄｉδ（ｉ）を意味する。従って、いかなる角度の回転も、固定された小さな角度の連続回転による回転を実行することによって可能となる。固定された角度を加えるか、あるいは引くかの判定がなされねばならない。個々の繰返しは、以下に示す式からなる。
【数３】
2006504368.tif 000005
【００１６】
２ｉによって除することは、ｉビットを右シフトすること、あるいは最も重要でないｉビットの切り捨てにより達成される。従って、この結果は、一連のシフト及び加算によって得られる。項Ｋｉは、このシステムのゲインであって、
【数４】
2006504368.tif 000006
【００１７】
に等しい。ここで、ｉ＞５のとき、この値は、１．６４７に収束する。
【００１８】
各データサンプルのための回転角度は、図２に示すように、Ｉ／Ｑペア回転装置によって具体的にもたらされる。
【００１９】
この結果の最大位相エラーは、回転装置のステージの数によって表される。受信経路では、Ｉ／ＱサンプルのＤＣ成分が、回転に先立って除去されねばならない。ＤＣオフセットを用いてＩ／Ｑペアを回転させることは、位相エラーとゲインエラーとの両方をもたらす。ＤＣオフセットは、多くのサンプルにわたって平均することによって計算される。この計算に用いられたサンプル数は、バーストの種類によって変化しうる。
【００２０】
回転装置セルは、基地局キャリア周波数の０．１ｐｐｍ以下の周波数エラーを与える。回転装置は、受信機において０．８９５度未満、送信機において０．０５６度未満の位相エラーを与える。回転装置は、送信回転、及び受信回転のために回転する。回転装置は、以下に更に記載するように、受信された経路からＤＣオフセットを除去する。回転装置は、受信経路及び送信経路の両方におけるデジタルＩ／Ｑデータを回転させる。本開示では、ＧＳＭ／ＧＰＲＳモードがサポートされている。物理的な回転装置は、送信経路と受信経路との両方によって共有される。
【００２１】
本開示された方法は、ベースバンド復調に対して僅かな遅延をもたらす。受信された典型的なバーストでは、有効なＤＣ推定を生成するために多くのサンプルが必要とされる。ここでは、殆どのシンボルがオフセットを生成し、第１のシンボルが、このバーストの中心についてのＤＣ推定を集めるために使用される。ｒｘバーストは、Ｘμｓで測定されたある時間測定においてＤＣＰメモリ内に到着するであろう。例えば、８０シンボルはモニタバーストを受信する。ここでは、８０全てのシンボルが、ＤＣ推定のために必要とされ、ｒｘバーストは、１６μｓ遅れてＤＳＰメモリ内に到着する。
【００２２】
別の実施例では、ＤＣオフセットがマイクロプロセッサによって、幾つかのバーストについてＤＣオフセットを平均するアルゴリズムを用いて供給される。この実施例では、ファームウェアに殆ど遅延がもたらされない。
【００２３】
ＧＳＭ送信機及び受信機において、制御されていないＸＯを使用した結果である周波数エラーの除去を補償するために、Ｉ／Ｑペア又はＣＯＲＤＩＣ回転装置を使用することは、ＤＤＳ回転装置に対して代案を提供する。なぜなら、この回転装置は、より簡単な設計であり、いかなる乗算機も必要としないからである。この設計では、送信機は、ビット位相アキュムレータを備えたステージ回転装置を備え、受信機は、ビット位相アキュムレータを備えたステージ回転装置を備えている。
【００２４】
アナログ／デジタル変換器の出力は、例えばサンプルされたものに対して２４倍であるが、４を越える任意の数で十分である。この回転装置は、ＯＳＲ＝２において第２のデシメーションの後に挿入される。最終出力において、周波数応答は狭すぎるので、大きな周波数オフセットのために補正することができない。第２のデシメーションまでの周波数応答は、少なくとも２０Ｈｚの周波数オフセットに対して補正ができるほど十分広い。
【００２５】
一つの実施例では、基地局キャリア周波数に対して０．１ｐｐｍ内にすることが目的であると仮定し、また、９００ＭＨｚのキャリア周波数は、受信機に対して、基地局周波数である９０Ｈｚ内にあることを要求すると仮定する。回転は、２ｓ／秒、すなわちｆｓ＝５４１．６７ｋＨｚのサンプリングレートでなされるので、１４ビット位相アキュムレータが、ｆｓ／２１４＝３３．１Ｈｚという十分な周波数解像度をもつであろう。回転装置のステージ数は、回転装置によってもたらされた位相エラー量及びスパーによって主に表される。シミュレーションは、７ステージの回転装置は、０．５度のｒｍｓ位相エラーをもたらし、スパーは、４６ｄＢダウンより大きいことを示した。
【００２６】
図３は、ＣＯＲＤＩＣ送信機の入力及び出力のスペクトルを示す。ここでは入力はＧＳＭ信号であって、入力及び出力のためのスペクトルは、事実上同一であることを示している。
【００２７】
一例として、第２のデシメーションフィルタの出力である回転装置の入力は１５ビットである。この回転装置は、例えば１．６４６８までの一定の量のゲインを有しているので、１ビット毎にビット幅を増加させる。従って、回転装置の出力における１つのビットが切り捨てられ、残りの１５ビットが最後のデシメーションフィルタに入る。この回転は、比較的低いサンプリングレートでなされるので、唯一のステージのみを、ハードウェア内に実装する必要があり、全ての回転ステージを正しく行うために同じ回路が使用されうる。
【００２８】
更に、一例として、送信機におけるサンプリングレートは１３ｍＨｚである。従って、同様な周波数解像度を得るために、位相アキュムレータ内のより多くのビットが必要とされる。１９ビットの位相アキュムレータは、ｆｓ／２１９＝２４．８Ｈｚの十分な周波数解像度をもつであろう。回転装置のステージ数は、回転装置によってもたらされた位相エラーとスパーの量によって表される。シミュレーションは、１１ステージの回転装置が、０．０３度のＲＭＳ位相エラーをもたらすことを示している。うち０．２度は、ベースバンドのために割り当てられ、スパーは、８０ｄＢダウン以上である。
【００２９】
回転装置４００の上部レベル接続が図４に示されている。ここでは、回転装置は例えば６ブロックからなる。レジスタインタフェース４１０は、ＡＲＭ及び／又はＭＳＤＰ４１２に、回転及びＤＣオフセット除去に必要なレジスタをプログラムさせる。位相アキュムレータ４１４は、２つの位相アキュムレータと、２つの展開されたＣＯＲＤＩＣ回転装置からなるＣＯＲＤＩＣ回転装置４１６とを含んでいる。更に、回転機能のために２つの個別の回転装置が用いられる。ＤＣ推定ブロック４１８とＤＣオフセット除去ブロック４２０とは、それぞれＤＣオフセットを計算し、その後、到来するＩ／ＱサンプルからこのＤＣオフセットを除去する。ＲＡＭ及びアービタブロック４２２は、Ｉ／Ｑサンプルを格納するために使用されるＲＡＭを、有効なＤＣオフセットが計算されるまで保持する。ＲＡＭ及びアービタ４２２はまた、この回路を通じて、データの流れを制御する。
【００３０】
送信位相アキュムレータは、位相オフセットによるインクリメントを可能にするために一定量で回転する。受信位相アキュムレータは、有効なＩ／Ｑデータペア毎に、（２４）＊（位相オフセット）の値回転させる。これは、一つのレジスタが、両方の位相アキュムレータを制御するようプログラムすることを可能にする。位相オフセットは、ＭＤＳＰ又はＡＲＭの何れか一方によってプログラムすることができる。２つの可能な位相インクリメント命令の選択は、ＡＲＭによって制御される。任意の回転が起ころうとしている前に位相オフセットが変更され、位相オフセットレジスタと受信位相アキュムレータの前に同期回路が必要とされないと仮定する。
【００３１】
ＤＣ除去回路は、ＤＣ推定器４１８、ＤＣオフセット除去４２０、及びＲＡＭ４２２を含む３つの要素からなる。ＤＣ推定器４１８は、選択されたＩ／Ｑサンプルに対する平均ＤＣ値を生成する。ＤＣオフセット除去４２０は、Ｉ／ＱデータからのＤＣ成分を除去するか、あるいは大幅に最小化し、ＲＡＭ４２２は、有効なＤＣ値が計算されるまで、Ｉ／Ｑサンプルを格納する。受信回転装置は、回転前のデータのＤＣ成分を除去する。
【００３２】
図５は、ＤＣ成分を用いてＩ／Ｑデータを回転させたときに生成されるエラーの一例を示す。ＤＣオフセットベクトル５０２は、破線で示される。理想的には、ＤＣオフセットが除去されることによって、第２象限にあるＩ／Ｑペア５０６ａ，５０６ｂは、９０度回転され、第３象限に再配置される。それにもかかわらず、ＤＣオフセットによって、Ｉ／Ｑペア５０４ａ，５０４ｂは、第１象限に現れ、結果として第２象限に回転されるであろう。この回転はまた、回転の間に可変のゲインファクタを増加させる。
【００３３】
ＤＣ推定器は、ユーザが指定した期間にわたって個々のＩ／Ｑサンプルを加算することによって、到来するサンプルの平均を推定する。ＤＣ推定器は、その後、多くのサンプルに分割する。この期間は、異なるバースト種類のために固定されない。ユーザは、加算するサンプルの数を定義し、加算ステップを始める前に、スキップするサンプルの数を定義することができる。分割ステップが後に続く加算命令が適用される。なぜなら、分割回路は、もしも有効なＩ／Ｑペア毎に一度実行されるのではなく、バースト毎に一度実行されねばならないのであれば単純化することができるからである。ＧＰＲＳの間、連続的なＲｘバーストがあるとき、１つのＤＣ計算のみが必要である。
【００３４】
ＤＣオフセットが一旦計算されると、ＤＣ推定器は、ＲＡＭ及びアービタに対して、Ｉ／ＱデータのＤＣオフセット除去ブロックへの送信を開始するようにトリガする。ＤＣオフセット除去は、その後、到来するＩ／ＱデータペアからＤＣ値を引き去り、その結果を回転装置に渡す。別の実施例では、回転装置の４分円回転部内のＤＣオフセット除去が、ロジック要求を低減するために合併される。
【００３５】
図６は、本発明の実施例に従ったＺＩＦベースの無線装置内のＤＣオフセットを補正する典型的方法を示す。この方法は、ステップ６０２に示すように、デジタル同相信号と直交位相信号データを受信するステップを含む。そして、ステップ６０４に示すように、同相信号と直交位相信号データからＤＣオフセットを推定するステップが実行される。次に、ステップ６０６に示すように、同相信号と直交位相信号データからＤＣオフセットを除去するステップが実行される。そして、ステップ６０８に示すように、同相信号と直交位相信号データを回転するステップが実行される。そして、ステップ６１０に示すように、同相信号と直交位相信号データをフィルタするステップがオプションとして実行される。別の実施例では、図７に示すように、ＺＩＦベースの無線装置においてＤＣオフセットを補正する方法が示されている。この方法は、ステップ６０３が加えられたことを除いて、図６に示す方法と一般的に同じである。ステップ６０３では、同相信号と直交位相信号データサンプルが、ステップ６０４においてＤＣオフセットが推定される前に、例えばＲＡＭのような記憶手段に格納される。
【００３６】
図８は、本開示に従ったＺＩＦベース無線装置においてＤＣオフセットを除去する方法を示す。この方法は、ステップ７０２に示すように、信号の一部をデジタルサンプルに変換するステップを含む。そして、ステップ７０４に示すように、バースト全体と、隣接チャネルの一部とを捕捉することによってＤＣバーストを計算するステップが実行される。次に、ステップ７０６に示すように、信号からＤＣオフセットを除去するステップが実行される。そして、ステップ７０８に示すように、信号からの周波数エラーを回転させるステップが実行される。次に、ステップ７１０に示すように、チャネルフィルタリングを行うステップが実行される。
【００３７】
開示された方法及び装置は、ＤＣオフセットなく、あるいは比較的小さなＤＣオフセットで無線受信機から復調された波形を受け取るための柔軟性を与えるデジタルベースバンドソリューションを提供する。
【００３８】
ＤＣオフセットの大部分は、デジタル処理によってＤＣオフセットを除去できるデジタルベースバンドによって除去されるので、これは、ＺＩＦ無線受信機のＤＣオフセット除去システムの複雑さを相当低減する。
【００３９】
前述した記述は、当該技術分野におけるいかなる熟練者であっても、本開示を活用又は使用できるように提供される。これらの実施例に対する種々の変形は、当該技術分野における熟練者に対して容易に明らかであり、ここで定義された一般的原理は、発明的な能力を用いることなく別の実施例に対して適用されうる。従って、本開示は、ここに示された実施例に限定されることを意図しておらず、ここで開示された原理及び斬新な特徴と一致した権利範囲に一致しているべきである。
【図面の簡単な説明】
【００４０】
【図１】図１は、本開示に従った受信回転装置経路ブロック図を示す。
【図２】図２は、本開示に従った各データサンプルの回転角度を示す。
【図３】図３は、ＧＳＭ信号である入力を備えたＣＯＲＤＩＣ送信機の入出力のスペクトルを示す。
【図４】図４は、本開示に従った回転装置の上部レベルブロック図を示す。
【図５】図５は、ＤＣ成分を用いてＩ／Ｑを回転させることによるエラーを示す。
【図６】図６は、ＺＩＦベースの無線装置におけるＤＣオフセットの補正及び除去のための方法を示す。
【図７】図７は、ＺＩＦベースの無線装置におけるＤＣオフセットの補正及び除去のための方法を示す。
【図８】図８は、ＺＩＦベースの無線装置におけるＤＣオフセットの補正及び除去のための方法を示す。
【図１】
2006504368.tif 000007
【図２】
2006504368.tif 000008
【図３】
2006504368.tif 000009
【図４】
2006504368.tif 000010
【図５】
2006504368.tif 000011
【図６】
2006504368.tif 000012
【図７】
2006504368.tif 000013
【図８】
2006504368.tif 000014
【国際調査報告】
2006504368.tif 000015
2006504368.tif 000016
2006504368.tif 000017